(57)【特許請求の範囲】
【請求項１】
第１の光ファイバ及び第２の光ファイバそれぞれを、その一方の端の部分で保持固定する第１のプラグコネクタ及び第２のプラグコネクタと、これら第１，第２のプラグコネクタ間を位置決めして互いに結合させる２本のガイドピンと、これら２本のガイドピンを保持するアダプタハウジングと、を含んで構成されて前記第１の光ファイバ及び第２の光ファイバの間を接続する光コネクタであって、前記各構成が次の構造を有することを特徴とする光コネクタ。
（イ）第１のプラグコネクタ
前記第２のプラグコネクタと相対向する結合用端面を有してこの結合用端面に対し、前記ガイドピンの太さ寸法と同等の寸法の高さで突出してその先端に接触接続用端面を持つ突出部が設けられ、かつ前記結合用端面に開口して前記２本のガイドピンそれぞれの太さ寸法と同等の内径寸法を有し、これらガイドピンをその一方の端から挿入する複数のピン挿入孔が形成されて、前記第１の光ファイバを、その光接続端面が前記接触接続用端面内の設定部位に露出するように配置、保持固定する、コネクタハウジングを備える。
（ロ）第２のプラグコネクタ
前記第１のプラグコネクタと相対向する結合用端面を有してこの結合用端面に対し、前記ガイドピンの太さ寸法と同等の寸法の高さで突出してその先端に接触接続用端面を持つ突出部が設けられ、かつ前記結合用端面に開口して前記２本のガイドピンそれぞれの太さ寸法と同等の内径寸法を有し、これらガイドピンをその他方の端から挿入する２つのピン挿入孔が形成されて、前記第２の光ファイバを、その光接続端面が前記接触接続用端面内の設定部位に露出するように配置、保持固定する、コネクタハウジングを備え、前記第１のプラグコネクタに結合する。
（ハ）２本のガイドピン
前記第１のプラグコネクタの２つのピン挿入孔及び第２のプラグコネクタの２つのピン挿入孔に対応挿入されて前記第１のプラグコネクタのコネクタハウジングと前記第２のプラグコネクタのコネクタハウジングとの間を結合、固定し、前記第１のプラグコネクタの接触接続用端面と前記第２のプラグコネクタの接触接続用端面とを接触させて前記第１の光ファイバと前記第２の光ファイバとを、その光接続端面が互い接触し合うように接続する。
（ニ）アダプタハウジング
前記２本のガイドピンをそれぞれの中央部分で保持し、これら２本のガイドピンの一方の端側が第１のプラグコネクタの２つのピン挿入孔に挿入され、他方の端側が第２のプラグコネクタの２つのピン挿入孔に挿入されて前記第１のプラグコネクタの接触接続用端面と前記第２のプラグコネクタの接触接続用端面とが接触するようにし、このアダプタハウジングと、これに保持された２本のガイドピンとを含めてアダプタコネクタとする。
（ホ）前記２本のガイドピンの前記アダプタハウジングへの保持構造
前記２本のガイドピンは、そのうちの１本は前記アダプタハウジングに保持固定され、他の１本は挿入されるピン挿入孔のずれがある場合にも挿入可能なように前記アダプタハウジングに保持される構造である。
【請求項２】
前記第１のプラグコネクタ及び第２のプラグコネクタは、その構造、形状及び寸法が同一である、請求項１記載の光コネクタ。
【請求項３】
前記２本のガイドピンは、その２本のガイドピン共、前記アダプタハウジングに保持固定された構造である、請求項１または請求項２記載の光コネクタ。
【発明の詳細な説明】
【０００１】
【発明の属する技術分野】
本発明は光コネクタに関し、特に２本の光ファイバそれぞれをその一端で保持固定して互いに結合し、これら光ファイバの間を接続する光コネクタに関する。
【０００２】
【従来の技術】
２本の光ファイバを光学的に接続する光コネクタは、通常、これら２本の光ファイバそれぞれをその一方の端の部分で保持固定して互いに結合し、これら光ファイバの光接続端面が互いに密着接触するようにする。
このような光コネクタの従来の一例を図４（ａ）〜（ｃ）に示す。
【０００３】
この光コネクタは、第１の光ファイバ５００ａをその一方の端の部分で保持固定する第１のプラグコネクタ１００ｘと、第２の光ファイバ５００ｂをその一方の端の部分で保持固定する第２のプラグコネクタ２００ｘと、これら第１，第２のプラグコネクタ１００ｘ，２００ｘを互い結合、固定する２本のガイドピン３００ｘと、を備えて成り、その詳細は次のとおりである。
【０００４】
まず、第１のプラグコネクタ１００ｘは、相手側（第２のプラグコネクタ２００ｘ）との結合方向に延びる光ファイバ搭載部１１２ｘが形成され、かつ相手側との結合接続端１１４ｘに開口して予め定められた直径及び深さを有する２つのピン挿入孔１１３ｘが形成されたハウジング本体１１０ｘと、このハウジング本体１１０ｘの光ファイバ搭載部１１２ｘに、第１の光ファイバ５００ａを搭載してその上からはめ込まれ、その結合接続端面１２２ｘがハウジング本体１１０ｘのそれと同一面の押え板１２０ｘとを含み、ハウジング本体１１０ｘの光ファイバ搭載部１１２ｘに、第１の光ファイバ５００ａを、その光接続端面５１０ａが結合接続端面１１４ｘと同一面となるように位置合せして搭載し、押え板１２０ｘで押え、かつ接着剤等でこれらを接着、固定して一体化する、コネクタハウジング１４０ｘを備えた構造となっている。
【０００５】
また、第２のプラグコネクタ２００ｘも、第１のプラグコネクタ１００ｘと同様の構造を有し、結合方向に延びる光ファイバ搭載部（図示省略）が形成され、かつ結合接続端面２１４ｘに２つのピン挿入孔２１３ｘが開口するように形成されたハウジング本体２１０ｘと、第２の光ファイバ５００ｂが搭載された光ファイバ搭載部にはめ込まれて接着剤等と共にこれらを接着、固定、一体化する、結合接続端面がハウジング本体２１０ｘのそれと同一面の押え板２２０ｘと、を含む、コネクタハウジング２４０ｘを備えている。
【０００６】
そして、２本のガイドピン３００ｘが、第１のプラグコネクタ１００ｘの、コネクタハウジング１４０ｘの２つのピン挿入孔１１３ｘと、第２のプラグコネクタ２００ｘの、コネクタハウジング２４０ｘの２つのピン挿入孔２１３ｘとに対応挿入され、コネクタハウジング１４０ｘの結合接続端面１１４ｘ，１２２ｘとコネクタハウジング２４０ｘの結合接続端面２１４ｘ（押え板２２０ｘのそれを含む）との間、及び第１の光ファイバ５００ａの光接続端面５１０ａと第２の光ファイバ５００ｂの光接続端面５１０ｂとの間を接触させて、これらコネクタハウジング１４０ｘ，２４０ｘ間を結合、保持固定して、第１の光ファイバ５００ａと第２の光ファイバ５００ｂとの間を接続する構造となっている。
【０００７】
なお、光ファイバ５００ａ，５００ｂが搭載、保持固定されたコネクタハウジング１４０ｘ，２４０ｘは、結合前にその結合接続端面１１４ｘ，２１４ｘ等の部分を研磨して光接続端面５１０ａ，５１０ｂに付着している接着剤等を除去して鏡面状にし、また、ガイドピン３００ｘとピン挿入孔１１３ｘ等とは、コネクタハウジング１４０ｘ，２４０ｘに一体化された光ファイバ５００ａ，５００ｂの光接続端面を精度よく位置合せする必要があるため、締りばねとなるように、ガイドピン３００ｘの直径及びピン挿入孔１１３ｘ等の内径が設定されている。
【０００８】
また、ガイドピン３００ｘは、通常、２つのコネクタハウジング１４０ｘ，２４０ｘのうちの一方のピン挿入孔に、予め挿入し保持固定しておいてから他方のピン挿入孔に挿入されるため、予め挿入、保持固定する側の方が多少強めに締りばねされるようになっていて、ピン挿入孔の内径にわずかな差を持たせ、かつ区別する必要がある。
【０００９】
【発明が解決しようとする課題】
上述した従来の光コネクタは、第１の光ファイバ５００ａをコネクタハウジング１４０ｘに、光接続端面５１０ａが結合接続端面１１４ｘ，１２２ｘと同一面となるように搭載、保持固定し、第２の光ファイバ５００ｂをコネクタハウジング２４０ｘに、光接続端面５１０ｂが結合接続端面２１４ｘ等と同一面となるように搭載、保持固定し、コネクタハウジング１４０ｘ，２４０ｘそれぞれに形成されて結合接続端面１１４ｘ等、２１４ｘ等に開口した２つずつのピン挿入孔１１３ｘ，２１３ｘに、２本のガイドピン３００ｘを挿入してこれらコネクタハウジング１４０ｘ，２４０ｘ間を結合、保持固定すると同時に光ファイバ５００ａ，５００ｂの光接続端面５１０ａ，５１０ｂを位置合せ接触させ、これら光ファイバを接続する構成、構造となっているので、２つのコネクタハウジング１４０ｘ，２４０ｘ間の結合、分離をくり返し行うと、締りばねによるガイドピン３００ｘとピン挿入孔１１３ｘ，２１３ｘとの間で摩耗粉が発生し、その摩耗粉が光接続端面５１０ａ，５１０ｂに付着して、図５に示すように、接続損失が増大し、光学的性能の劣化が生じる、という問題点があり、また、２本のガイドピン３００ｘを、コネクタハウジング１１４ｘ，２１４ｘの２つのピン挿入孔１１３ｘ，２１３ｘのうちの一方に挿入、保持固定して他方に挿入するため、これらピン挿入孔１１３ｘ，２１３ｘの間でその内孔をわずかに変えてこれらを区別する必要があり、その取扱い、管理、及びピン挿入作業が煩雑になる、という問題点や、ガイドピン３００ｘは小さいために（直径０．７mm程度、長さ１０〜１２mm程度）、その挿入作業の際などに、これを紛失してしまう危険性がある、という問題点があった。
【００１０】
本発明の目的は、これら従来技術の問題点に鑑みて、光学的性能の劣化が生じるのを防止することができ、部品の取扱い、管理や組立て作業の煩雑さを無くすと共に、ガイドピンを紛失する危険性を無くすことができる光コネクタを提供することにある。
【００１１】
【課題を解決するための手段】
本発明の光コネクタは、第１の光ファイバ及び第２の光ファイバそれぞれを、その一方の端の部分で保持固定する第１のプラグコネクタ及び第２のプラグコネクタと、これら第１，第２のプラグコネクタ間を位置決めして互いに結合させる２本のガイドピンと、これら２本のガイドピンを保持するアダプタハウジングと、を含んで構成されて前記第１の光ファイバ及び第２の光ファイバの間を接続する光コネクタであって、前記各構成が次の構造を有することを特徴とする。
（イ）第１のプラグコネクタ
前記第２のプラグコネクタと相対向する結合用端面を有してこの結合用端面に対し、前記ガイドピンの太さ寸法と同等の寸法の高さで突出してその先端に接触接続用端面を持つ突出部が設けられ、かつ前記結合用端面に開口して前記２本のガイドピンそれぞれの太さ寸法と同等の内径寸法を有し、これらガイドピンをその一方の端から挿入する複数のピン挿入孔が形成されて、前記第１の光ファイバを、その光接続端面が前記接触接続用端面内の設定部位に露出するように配置、保持固定する、コネクタハウジングを備える。
（ロ）第２のプラグコネクタ
前記第１のプラグコネクタと相対向する結合用端面を有してこの結合用端面に対し、前記ガイドピンの太さ寸法と同等の寸法の高さで突出してその先端に接触接続用端面を持つ突出部が設けられ、かつ前記結合用端面に開口して前記２本のガイドピンそれぞれの太さ寸法と同等の内径寸法を有し、これらガイドピンをその他方の端から挿入する２つのピン挿入孔が形成されて、前記第２の光ファイバを、その光接続端面が前記接触接続用端面内の設定部位に露出するように配置、保持固定する、コネクタハウジングを備え、前記第１のプラグコネクタに結合する。
（ハ）２本のガイドピン
前記第１のプラグコネクタの２つのピン挿入孔及び第２のプラグコネクタの２つのピン挿入孔に対応挿入されて前記第１のプラグコネクタのコネクタハウジングと前記第２のプラグコネクタのコネクタハウジングとの間を結合、固定し、前記第１のプラグコネクタの接触接続用端面と前記第２のプラグコネクタの接触接続用端面とを接触させて前記第１の光ファイバと前記第２の光ファイバとを、その光接続端面が互い接触し合うように接続する。
（ニ）アダプタハウジング
前記２本のガイドピンをそれぞれの中央部分で保持し、これら２本のガイドピンの一方の端側が第１のプラグコネクタの２つのピン挿入孔に挿入され、他方の端側が第２のプラグコネクタの２つのピン挿入孔に挿入されて前記第１のプラグコネクタの接触接続用端面と前記第２のプラグコネクタの接触接続用端面とが接触するようにし、このアダプタハウジングと、これに保持された２本のガイドピンとを含めてアダプタコネクタとする。
（ホ）前記２本のガイドピンの前記アダプタハウジングへの保持構造
前記２本のガイドピンは、そのうちの１本は前記アダプタハウジングに保持固定され、他の１本は挿入されるピン挿入孔のずれがある場合にも挿入可能なように前記アダプタハウジングに保持される構造である。
【００１３】
また、前記光コネクタは、前記第１のプラグコネクタ及び第２のプラグコネクタは、その構造、形状及び寸法が同一であり、更に、前記複数のガイドピンは、その２本のガイドピン共、前記アダプタハウジングに保持固定された構造である、構成を有している。
【００１４】
【発明の実施の形態】
本発明の第１の実施の形態は、第１の光ファイバ及び第２の光ファイバそれぞれを、その一方の端の部分で保持固定する第１のプラグコネクタ及び第２のプラグコネクタと、これら第１，第２のプラグコネクタ間を位置決めして互いに結合させる２本のガイドピンと、これら２本のガイドピンを保持するアダプタハウジングと、を含んで構成されて上記第１の光ファイバ及び第２の光ファイバの間を接続する光コネクタであって、上記各構成が次の構造を有している。
（イ）第１のプラグコネクタ
上記第２のプラグコネクタと相対向する結合用端面を有してこの結合用端面に対し、上記ガイドピンの太さ寸法と同等の寸法の高さで突出してその先端に接触接続用端面を持つ突出部が設けられ、かつ上記結合用端面に開口して上記２本のガイドピンそれぞれの太さ寸法と同等の内径寸法を有し、これらガイドピンをその一方の端から挿入する２つのピン挿入孔が形成されて、上記第１の光ファイバを、その光接続端面が上記接触接続用端面内の設定部位に露出するように配置、保持固定する、コネクタハウジングを備える。
（ロ）第２のプラグコネクタ
上記第１のプラグコネクタと相対向する結合用端面を有してこの結合用端面に対し、上記ガイドピンの太さ寸法と同等の寸法の高さで突出してその先端に接触接続用端面を持つ突出部が設けられ、かつ上記結合用端面に開口して上記２本のガイドピンそれぞれの太さ寸法と同等の内径寸法を有し、これらガイドピンをその他方の端から挿入する２つのピン挿入孔が形成されて、上記第２の光ファイバを、その光接続端面が上記接触接続用端面内の設定部位に露出するように配置、保持固定する、コネクタハウジングを備え、上記第１のプラグコネクタに結合する。
（ハ）２本のガイドピン
上記第１のプラグコネクタの２つのピン挿入孔及び第２のプラグコネクタの２つのピン挿入孔に対応挿入されて上記第１のプラグコネクタのコネクタハウジングと上記第２のプラグコネクタのコネクタハウジングとの間を結合、固定し、上記第１のプラグコネクタの接触接続用端面と上記第２のプラグコネクタの接触接続用端面とを接触させて上記第１の光ファイバと上記第２の光ファイバとを、その光接続端面が互い接触し合うように接続する。
（ニ）アダプタハウジング
前記２本のガイドピンをそれぞれの中央部分で保持し、これら２本のガイドピンの一方の端側が第１のプラグコネクタの２つのピン挿入孔に挿入され、他方の端側が第２のプラグコネクタの２つのピン挿入孔に挿入されて前記第１のプラグコネクタの接触接続用端面と前記第２のプラグコネクタの接触接続用端面とが接触するようにし、このアダプタハウジングと、これに保持された２本のガイドピンとを含めてアダプタコネクタとする。
（ホ）前記２本のガイドピンの前記アダプタハウジングへの保持構造
前記２本のガイドピンは、そのうちの１本は前記アダプタハウジングに保持固定され、他の１本は挿入されるピン挿入孔のずれがある場合にも挿入可能なように前記アダプタハウジングに保持される構造である。
【００１５】
このような構成、構造とすることにより、第１，第２のプラグコネクタ間の結合、分離をくり返してガイドピンとピン挿入孔との間で摩耗粉が発生しても、第１，第２のプラグハウジングの突出部の側面で摩耗粉の接触接続用端面への浸入が阻止され、これら摩耗粉が光ファイバの光接続端面に付着するのを防ぐことができるので、結合、分離のくり返しによる光学的性能の劣化を防止することができる。
【００１７】
また、第１，第２のプラグコネクタのうちの一方に、予めガイドピンを挿入、保持固定した後、他方と結合させる、という作業をしなくて済み、ガイドピンが保持されたアダプタハウジングに第１，第２のプラグコネクタを挿入する、という作業で済むので、ガイドピンを紛失してしまう危険性がなくなり、また、予めガイドピンを挿入、保持固定しておく側とそうでない側との間でピン挿入孔の内径をわずかに変えておいてこれらを区別する、という煩雑な管理や、小さなガイドピンの挿入という煩雑な作業もなくなって、部品の取扱い、管理、及び組立て作業を、単純、かつ容易にすることができ、しかも、第１，第２のプラグコネクタを同一の構造、形状、寸法とすることができて、更に、取扱い、管理、組立て作業を容易にすることができる。
【００１８】
【実施例】
次に、本発明の実施例について図面を参照して説明する。
図１（ａ）〜（ｃ）は本発明の一実施例を示す、結合前の斜視図、結合状態の側面図、及び第１のプラグコネクタ部分の分解斜視図である。
この実施例は、第１の光ファイバ５００ａ及び第２の光ファイバ５００ｂそれぞれを、その一方の端の部分で保持固定して互いに結合し、これら第１，第２の光ファイバ５００ａ，５００ｂの間を接続結合する光コネクタであって、第１のプラグコネクタ１００ａ、第２のプラグコネクタ２００ａ、及び２本のガイドピン３００ａを保持したアダプタコネクタ４００を含んで構成され、これらの詳細は次のとおりである。
【００１９】
第１のプラグコネクタ１００ａは、結合相手方（プラグコネクタ２００ａ）との結合方向に延び、この結合方向の中心軸部分に第１の光ファイバ５００ａが位置決め、搭載されるように溝状の光ファイバ搭載部１１２が形成されたハウジング本体１１０ａと、この光ファイバ搭載部１１２に第１の光ファイバ５００ａを搭載した後、この光ファイバ搭載部１１２にはめ込まれてこの光ファイバ５００ａを保持固定すると同時にその溝状の部分を埋めるようにした押え板１２０と、を含むコネクタハウジング１４０ａを備えて成り、このコネクタハウジング１４０ａには、更に、結合相手方に対して結合、固定される部分の端面であって、この結合相手方と相対向する結合用端面１１１，１２１の中央部分に、ガイドピン３００ａの太さ寸法と同等の寸法の高さで突出してその先端に接触接続用端面１３１を持つ突出部１３０が設けられ、かつ結合用端面１１１，１２１の、突出部１３０を挟む部位に開口してガイドピン３００ａの太さ寸法と同等の内径寸法を有し、ガイドピン３００ａをその一方の端から挿入する２つのピン挿入孔１１３ａが形成されて、第１の光ファイバ５００ａを、その光接続端面５１０ａが接触接続用端面１３１内の、縁とあまり近接しない部位に露出するように位置決め配置、保持固定する。
【００２０】
第２のプラグコネクタ２００ａは、第１のプラグコネクタ１００ａとの結合方向に延び、この結合方向の中心軸部分に第２の光ファイバ５００ｂが位置決め、搭載されるように溝状の光ファイバ搭載部（図示省略、プラグコネクタ１００ａの光ファイバ搭載部１１２相当）が形成されたハウジング本体２１０ａと、この光ファイバ搭載部に第２の光ファイバ５００ｂを搭載した後、この光ファイバ搭載部にはめ込まれてこの第２の光ファイバ５００ｂを保持固定すると同時にその溝状の部分を埋めるようにした押え板２２０ａと、を含むコネクタハウジング２４０ａを備えて成り、このコネクタハウジング２４０ａには、更に、第１のプラグコネクタ１００ａに対して結合、固定される部分の端面であってこの第１のプラグコネクタ１００ａと相対向する結合用端面（２１１）の中央部分に、ガイドピン３００ａの太さ寸法と同等の寸法の高さで突出してその先端に接触接続用端面（図示省略、１３１相当）を持つ突出部（２３０）が設けられ、かつ結合用端面（２１１）の、突出部（２３０）を挟む部位に開口してガイドピン３００ａの太さ寸法と同等の内径寸法を有し、ガイドピン３００ａをその他方の端から挿入する２つのピン挿入孔（２１３）が形成されて、第２の光ファイバ５００ｂを、その光接続端面（５１０ｂ）が接触接続用端面内の、縁とあまり近接しない部位に露出するように位置決め配置、保持固定する。
【００２１】
また、２本のガイトピン３００ａを、その中央部分でアダプタハウジング４１０に保持して、これら２本のガイドピン３００ａとアダプタハウジング４１０とでアダプタコネクタ４００を形成する構成とし、このアダプタコネクタ４００の両端に、第１のプラグコネクタ１００ａ及び第２のプラグコネクタ２００ａを挿入することにより、２本のガイドピン３００ａの一方の端側を第１のプラグコネクタ１００ａの２つのピン挿入孔１１３に挿入し、他方の端側を第２のプラグコネクタ２００ａの２つのピン挿入孔（２１３）に挿入して、これら第１，第２のプラグコネクタ１００ａ，２００ａの突出部（１３０等）先端部分（接触接続端面１３１等）を接触させ、第１，第２の光ファイバ５００ａ，５００ｂを、その接続端面（５１０ａ，（５１０ｂ））で突き合せ接触させて接続する、構成、構造となっている。
【００２２】
この実施例において、第１，第２のプラグコネクタ１００ａ，２００ａの突出部１３０，２３０の高さは、摩耗粉の飛散範囲がガイドピン３００ａの太さに左右されるので、ガイドピン３００ａの太さ寸法と同程度の寸法としており、接触接続用端面の広さは、第１，第２の光ファイバ５００ａ，５００ｂの光接続端面５１０ａ，（５１０ｂ）が接触接続用端面の縁にあり近接しない範囲に納まる程度の寸法としている。
【００２３】
なお、ハウジング本体１１０ａ，２１０ａへの光ファイバ５００ａ，５００ｂ及び押え板１２０，２２０ａの保持固定には接着剤を用い、その固化後、光接続端面５１０ａ，（５１０ｂ）を含む接触接続用端面（１３１等）を研磨し、光接続端面５１０ａ，（５１０ｂ）を鏡面状に仕上げる。
【００２４】
この実施例においては、第１，第２の光ファイバ５００ａ，５００ｂの光接続端面５１０ａ，（５１０ｂ）が、ガイドピン３００ａとピン挿入孔１１３ａ，（２１３）との間で生じる摩耗粉の発生場所である、結合用端面１１１，（２１１）から突出した突出部１３０，（２３０）の先端の、接触接続用端面（１３１等）内に配置されているので、第１，第２のプラグコネクタ１００ａ，２００ａ間の結合、分離をくり返して摩耗粉が発生したとしても、突出部１３０，（２３０）の側面により、この摩耗粉の接触接続用端面（１３１等）への浸入が阻止されて光ファイバ５００ａ，５００ｂの光接続端面５１０ａ，（５１０ｂ）に付着するのを防ぐことができ、図２に示すように、光ファイバ５００ａ，５００ｂ間の接続損失が増大することはなく、良好な光学的性能を維持することができる。また、研磨する部分の面積が、突出部１３０，（２３０）の先端の接触接続用端面だけとなって、研磨時間を短縮することができる、という利点もある。
【００２６】
また、この実施例では、ガイドピン３００ａがアダプタハウジング４１０に保持固定されているので、小さいガイドピンを単体でプラグコネクタ（１００ａ，２００ａ）のピン挿入孔（１１３ａ等）に挿入する必要がなく、ガイドピンを紛失する危険性が無く、煩雑な作業も不要となる。また、アダプタハウジング４１０に保持固定されているガイドピン３００ａの両端の、２つのプラグコネクタ１００ａ，２００ａのピン挿入孔（１１３ａ等）への挿入状態、結合状態は同一であるので、これら２つのプラグコネクタ１００ａ，２００ａのピン挿入孔（１３１ａ等）の内径は全く同一でよく、しかも、２つの光ファイバ５００ａ，５００ｂの間でその接続が間違いなく行える構造になっていれば、２つのプラグコネクタ１００ａ，２００ａを全く同一の構造、形状、寸法とすることができ、部品等の取扱いや管理等が単純、容易となる。
【００２７】
前述の、２つの光ファイバ５００ａ，５００ｂの間の接続が間違いなく行える構造の１つとして、２本のガイドピン３００ａの間でその直径を変え、これに伴って２つのプラグコネクタ１００ａ，２００ａの間でそのピン挿入孔の内径を変えて、２つの光ファイバ５００ａ，５００ｂの接続端面が２つのプラグコネクタ１００ａ，２００ａそれぞれの２つのピン挿入孔の中心軸を含む平面内に配置されるようにし、２つのプラグコネクタ１００ａ，２００ａの間で、その上面（押え板側）と下面側とを入れかえて、これらをアダプタコネクタ４００の両側から挿入するようにすればよい。
【００２８】
図３（ａ），（ｂ）はこの実施例における、アダプタコネクタ４００の詳細な構造を示す断面図、及びその変形例を示す断面図である。
図３（ａ）に示されたアダプタコネクタ４００は、２本のガイドピン３００ａがそのほぼ中央部分でアダプタハウジング４１０に保持固定され、これら２本のガイドピン３００ａの保持固定部分の間に接触接続用窓４１２が形成されていて、これにアダプタハウジング４１０の両端に開口するプラグコネクタ挿入部４１１ａ，４１１ｂに挿入されたプラグコネクタ１００ａ，２００ａの突出部（１３０等）が挿入される構造、形状となっている。
【００２９】
これに対し、図３（ｂ）に示されたアダプタコネクタ４００ａは、２本のガイドピン３００ａの一方がアダプタハウジング４１０ａに保持固定され、他方が、挿入されるピン挿入孔の位置に応じて変位するようにアダプタハウジング４１０ａに保持された構造となっている。
【００３０】
通常、ガイドピンとピン挿入孔とは、締りばねとなっているため、２本のガイドピン３００ａ共アダプタハウジング４１０に保持固定されている図３（ａ）では、ガイドピン３００ａを高い位置精度で配置する必要があり、わずかな配置位置のずれでも、ピン挿入孔への挿入が困難となるが、図３（ｂ）のように片方をフローティングとすることにより、２本のガイドピンの間の高精度な配置は不要となり、かつ低い挿抜力で容易に挿抜できるようになって、その組立て作業、挿抜作業等が容易になる。
【００３１】
【発明の効果】
以上説明したように本発明は、互いに結合する２つのコネクタハウジングそれぞれの、２つのピン挿入孔が開口する結合用端面に、ガイドピンの太さ寸法と同等の寸法の高さで突出してその先端に接触接続用端面を持つ突出部を設け、この突出部の接触接続用端面に光ファイバの光接続端面が露出するようにこれら光ファイバを配置、保持固定し、突出部先端の接触接続用端面が互いに接触するように２本のガイドピンによりこれらコネクタハウジングを結合、保持固定してこれら２本の光ファイバを接続する構成、構造、形状とすることにより、ガイドピンとピン挿入孔との間のくり返し挿抜で生じる摩耗粉を、突出部の側面で阻止して接触接続用端面及び光接続端面に付着するのを防止することができるので、接続損失が増大することはなく、良好な光学的性能を維持することができ、更に、２つのガイドピンをその中央部分で保持して２つのプラグコネクタの間をこれら２つのガイドピンで結合し、２本の光ファイバを接続するアダプタコネクタが設けられているので、ガイドピンを紛失することなく、組立て作業も容易となり、また、２つのプラグコネクタを同一の構造、形状とすることができて、部品等の取扱い、管理、及び組立て作業を容易にすることができ、更にまた、アダプタコネクタに保持される２本のガイドピンのうちの一方を固定し、他方をピン挿入孔の位置に応じて変位するように保持する構造とすることにより、２本のガイドピンの間の高精度な配置は不要となり、かつ低い挿抜力で容易に挿抜することができて、その組立て作業、挿抜作業が容易になる、という効果がある。
【図面の簡単な説明】
【図１】  本発明の一実施例を示す、結合前の斜視図、結合状態の側面図、及び第１のプラグコネクタ部分の分解斜視図である。
【図２】  図１に示された実施例の作用効果を説明するための、着脱繰返し回数に対する接続損失特性図である。
【図３】  図１に示された光コネクタのアダプタコネクタ部分の断面図、及びその変形例を示す断面図である。
【図４】  従来の光コネクタの一例を示す結合前の斜視図、結合状態の側面図、及び第１のプラグコネクタ部分の分解斜視図である。
【図５】  従来の光コネクタの一例の課題を説明するための、着脱繰返し回数に対する接続損失特性図である。
【符号の説明】
１００ａ，１００ｘ  プラグコネクタ
１１０ａ，１１０ｘ  ハウジング本体
１１１  結合用端面
１１２，１１２ｘ  光ファイバ搭載部
１１３ａ，１１３ｘ  ピン挿入孔
１１４ｘ  結合接続端面
１２０，１２０ｘ  押え板
１２１  結合用端面
１２２ｘ  結合接続端面
１３０  突出部
１３１  接触接続用端面
１４０ａ，１４０ｘ  コネクタハウジング
２００ａ，２００ｘ  プラグコネクタ
２１０ａ，２１０ｘ  ハウジング本体
２１３ｘ  ピン挿入孔
２１４ｘ  結合接続端面
２２０ａ，２２０ｘ  押え板
２３０  突出部
２４０ａ，２４０ｘ  コネクタハウジング
３００ａ，３００ｂ，３００ｘ  ガイドピン
３１０  保持用つば
４００，４００ａ  プラグコネクタ
４１０，４１０ａ  アダプタハウジング
４１３  つば保持部
５００ａ，５００ｂ  光ファイバ
５１０ａ  光接続端面
【図１】
0003682648.tif 000002
【図２】
0003682648.tif 000003
【図３】
0003682648.tif 000004
【図４】
0003682648.tif 000005
【図５】
0003682648.tif 000006